(57)【要約】【課題】レンズが接着固定されるレンズ支持構造において、熱衝撃による接着剤の剥離を抑制する。【解決手段】レンズ支持構造４０は、光学的に有効な光学有効部５と光学有効部５の外周側に形成された固定部４とを有するレンズ１と、レンズ１の外周側に配置されレンズ１を支持する支持部材３と、レンズ１と支持部材３との間に配置され固定部４を支持部材３に対して固定する接着剤２とを備えている。固定部４は、内周側を向くように光軸方向の両側に形成され接着剤により少なくとも一部が覆われている複数の固定面１３を有している。【選択図】図３
2007298700.tif 000002
【特許請求の範囲】
【請求項１】
光学的に有効な光学有効部と、前記光学有効部の外周側に形成された固定部と、を有するレンズと、
前記レンズの外周側に配置され前記レンズを支持する支持部材と、
前記レンズと前記支持部材との間に配置され前記固定部を前記支持部材に対して固定する接着剤とを備え、
前記固定部は、内周側を向くように光軸方向の両側に形成され、前記接着剤により少なくとも一部が覆われている複数の固定面を有している、
レンズ支持構造。
【請求項２】
前記固定部は、内周側に形成された前記固定面を含み光軸方向に延びる複数の側壁部を有しており、
前記側壁部の先端部は、前記固定面の少なくとも一部とともに、前記接着剤により覆われている、
請求項１に記載のレンズ支持構造。
【請求項３】
前記固定部は、前記側壁部の内周側に前記固定面を含むように形成され、光軸方向に窪んだ複数の溝部を有しており、
前記溝部には、前記接着剤が充填されている、
請求項２に記載のレンズ支持構造。
【請求項４】
前記側壁部の先端部は、前記光学有効部の外周部よりも光軸方向内側に配置されている、
請求項３に記載のレンズ支持構造。
【請求項５】
前記側壁部は、前記光学有効部の外周部よりも光軸方向外側に延びている、
請求項２に記載のレンズ支持構造。
【請求項６】
前記固定部は、光軸方向内側に延びる前記側壁部の内周側に形成される前記固定面を含み、半径方向に窪んだ溝部を有している、
請求項２に記載のレンズ支持構造。
【請求項７】
前記溝部には、前記接着剤が充填されており、
前記溝部は、半径方向外側部分よりも半径方向内側部分の方が光軸方向の寸法が大きくなっている、
請求項６に記載のレンズ支持構造。
【請求項８】
前記固定部は、前記固定面を含み、光軸に直交する方向に切り込まれた複数の切欠部を有しており、
前記切欠部には、前記接着剤が充填されている、
請求項１に記載のレンズ支持構造。
【請求項９】
光学機器に用いられるレンズ支持構造において、支持部材に対して接着剤により固定されるレンズであって、
光学的に有効な光学有効部と、
前記光学有効部の外周側に形成された固定部とを備え、
前記固定部は、内周側を向くように光軸方向の両側に形成されている、
レンズ。
【請求項１０】
前記固定部は、内周側に形成された前記固定面を含み光軸方向に延びる複数の側壁部を有している、
請求項９に記載のレンズ。
【請求項１１】
前記固定部は、前記側壁部の内周側に前記固定面を含むように形成され、光軸方向に窪んだ複数の溝部を有している、
請求項１０に記載のレンズ。
【請求項１２】
前記側壁部の先端部は、前記光学有効部の外周部よりも光軸方向内側に配置されている、
請求項１１に記載のレンズ。
【請求項１３】
前記側壁部は、前記光学有効部の外周部よりも光軸方向外側に延びている、
請求項１０に記載のレンズ。
【請求項１４】
前記固定部は、光軸方向内側に延びる前記側壁部の内周側に形成される前記固定面を含み、半径方向に窪んだ溝部を有している、
請求項１０に記載のレンズ。
【請求項１５】
前記溝部は、半径方向外側部分よりも半径方向内側部分の方が光軸方向の寸法が大きくなっている、
請求項１４に記載のレンズ。
【請求項１６】
前記固定部は、前記固定面を含み、光軸に直交する方向に切り込まれた複数の切欠部を有している、
請求項９に記載のレンズ。
【請求項１７】
光ディスクに記録された信号を読み取るための光ピックアップ装置であって、
光源と、
前記光源からの光束を前記光ディスクに導く光ピックアップ光学系と、
前記光ディスクからの反射光束を受光する受光素子とを備え、
前記光ピックアップ光学系は、請求項１から８のいずれかに記載のレンズ支持構造または請求項９から１６のいずれかに記載のレンズを有している、
光ピックアップ装置。
【発明の詳細な説明】
【技術分野】
【０００１】
本発明は、レンズを接着固定するレンズ支持構造、特に光ディスクドライブ装置に用いられる光ピックアップ装置のレンズ支持構造に関する。
【背景技術】
【０００２】
従来の光ピックアップ装置などの光学機器では、レンズの固定方法として接着固定が採用されている場合が多い（例えば、特許文献１を参照。）。図８に従来のレンズ支持構造の接着部断面図を示す。図８に示すように、従来のレンズ支持構造５４０は、支持部材５０３に対して円形状の樹脂製レンズ５０１が接着剤５０２により固定されている。支持部材５０３は、レンズ５０１の外形に沿った曲面を有しレンズ５０１を半径方向に支持する第１支持部５０３ａと、第１支持部５０３ａから光軸に直交する方向に延びる１対の第２支持部５０３ｂとを有しており、例えば亜鉛ダイキャストあるいは樹脂成形品などが採用されている。
図８に示すように、従来の構造では、レンズ５０１側面と第２支持部５０３ｂとの間に上方（図８の上側）よりディスペンサで接着剤５０２が注入され、その後、接着剤５０２に紫外線が照射される。この結果、接着剤５０２が硬化され、支持部材５０３にレンズ５０１が接着固定される。
このように、接着剤を用いることで、レンズを支持部材などに対して容易に固定することができる。
【特許文献１】特開平１１−２１１９５７号公報
【発明の開示】
【発明が解決しようとする課題】
【０００３】
一方で、光学機器の使用時においては、機器の発熱により装置内部の温度が上昇し、レンズ５０１や接着剤５０２などの温度が上昇するとともに、非使用時においては、機器が発熱しなくなるためレンズ５０１や接着剤５０２などの温度が外気温まで低下する。このように、光学機器に搭載されるレンズ支持構造のレンズ５０１や接着剤５０２などは、高温および低温の状態が繰り返される環境下において長期間使用される。
しかしながら、レンズ固定用の接着剤としては、例えば紫外線照射により硬化する紫外線硬化型のエポキシ系あるいはアクリル系接着剤が一般的に用いられており、これらの接着剤は温度変化により膨張あるいは収縮する。このため、光学機器において内部温度が変化することで、レンズ５０１や接着剤５０２が膨張や収縮を繰り返して接着剤５０２がレンズ５０１から剥離するおそれがある。
図９および図１０を用いて、接着剤５０２の剥離についてより詳細に説明する。図９に従来のレンズ支持構造の縦断面概略図、図１０に従来のレンズ支持構造の平面概略図を示す。例えば、接着固定したレンズに対して高温および低温状態を繰り返す熱衝撃試験（例えば、−４０度〜８０度の加熱冷却を５００回繰り返す試験）において、高温状態では接着剤５０２およびレンズ５０１は膨張するため、接着界面には圧縮力が加わる。一方、低温状態においては、図９および図１０に示すようにレンズ５０１および接着剤５０２がいずれも収縮するため、接着剤５０２の接着界面周辺において引っ張り力５０９が発生し、接着界面において引き剥がし応力５０５が作用する。この結果、高温および低温が繰り返されることにより、界面端部５０６から剥離が進展し、場合によっては接着界面が完全に剥離してしまい、レンズ変位による光学特性の変化やレンズの脱落が発生する。
【０００４】
接着剤の量を増加させて強固に固着させることが考えられるが、接着剤量を増やすと膨張量および収縮量が増加する。このため、かえって内部応力を増加させる結果となり、高温状態においては接着剤の膨張によりレンズへの歪みが大きくなり、光学特性を悪化させ、低温状態においては接着面に作用する引き剥がし応力が大きくなる。また、接着剤の量を減少させた場合、接着面積が少なくなるため、やはり接着面に作用する引き剥がし応力が増大し、レンズから接着剤が剥がれやすくなる。
このように、レンズが接着固定されるレンズ支持構造においては、熱衝撃により接着剤がレンズから剥離する可能性が高く、光ピックアップ装置などの光学機器の性能に大きく影響したり、あるいはレンズの脱落の要因となるため好ましくない。
本発明の課題は、レンズが接着固定されるレンズ支持構造において、熱衝撃による接着剤の剥離を抑制することにある。
【課題を解決するための手段】
【０００５】
第１の発明に係るレンズ支持構造は、光学的に有効な光学有効部と光学有効部の外周側に形成された固定部とを有するレンズと、レンズの外周側に配置されレンズを支持する支持部材と、レンズと支持部材との間に配置され固定部を支持部材に対して固定する接着剤とを備えている。固定部は、内周側を向くように光軸方向の両側に形成され、接着剤により少なくとも一部が覆われている複数の固定面を有している。
このレンズ支持構造では、低温状態においては接着剤が収縮するため、固定面を覆う接着剤が外周側に引っ張られる。このとき、固定面が内周側を向くように形成されているため、外周側へ引っ張られた接着剤により固定面が外周側へ押圧され、固定面周辺において引っ張り力に対抗する抑制力が内周側へ作用する。すなわち、レンズに設けられた固定面により収縮時に発生する引っ張り力を受けることができる。このため、接着界面における引き剥がし応力が低減し、熱衝撃による接着剤の剥離を抑制することができる。
ここで、レンズの光学的に有効な部分とは、このレンズ支持構造を光学機器に搭載する場合に、レンズにおいて光学機器の光学性能に影響を及ぼす部分を意味している。
第２の発明に係るレンズ支持構造は、第１の発明の構造において、固定部が内周側に形成された固定面を含み光軸方向に延びる複数の側壁部を有している。側壁部の先端部は、固定面の少なくとも一部とともに接着剤により覆われている。
【０００６】
これにより、側壁部が硬化した接着剤の内部で引っ掛かり、接着剤の剥離をより効果的に抑制することができるとともに、レンズの脱落を防止することができる。
第３の発明に係るレンズ支持構造は、第２の発明の構造において、固定部が側壁部の内周側に固定面を含むように形成され、光軸方向に窪んだ複数の溝部を有している。溝部には接着剤が充填されている。
第４の発明に係るレンズ支持構造は、第３の発明の構造において、側壁部の先端部が光学有効部の外周部よりも光軸方向内側に配置されている。
第５の発明に係るレンズ支持構造は、第２の発明の構造において、側壁部が光学有効部の外周部よりも光軸方向外側に延びている。
第６の発明に係るレンズ支持構造は、第２の発明の構造において、固定部が光軸方向内側に延びる側壁部の内周側に形成される固定面を含み、半径方向に窪んだ溝部を有している。
第７の発明に係るレンズ支持構造は、第６の発明の構造において、溝部には接着剤が充填されている。溝部は半径方向外側部分よりも半径方向内側部分の方が光軸方向の寸法が大きくなっている。
【０００７】
第８の発明に係るレンズ支持構造は、第１の発明の構造において、固定部が、固定面を含み光軸に直交する方向に切り込まれた複数の切欠部を有している。切欠部には接着剤が充填されている。
第９の発明に係るレンズは、光学機器に用いられるレンズ支持構造において支持部材に対して接着剤により固定されるレンズであって、光学的に有効な光学有効部と、光学有効部の外周側に形成された固定部とを備えている。固定部は、内周側を向くように光軸方向の両側に形成されている。
このレンズでは、低温状態においてはレンズを固定する接着剤が収縮し、接着剤が外周側へ引っ張られる。このとき、固定面の少なくとも一部が接着剤により覆われている場合、固定面が内周側を向くように形成されているため、外周側へ引っ張られた接着剤により固定面が外周側へ押圧され、固定面周辺において引っ張り力に対抗する抑制力が内周側へ作用する。すなわち、レンズに設けられた固定面により収縮時に発生する引っ張り力を受けることができる。このため、このレンズでは接着界面における引き剥がし応力が低減し、熱衝撃による接着剤の剥離を抑制することができる。
ここで、レンズの光学的に有効な部分とは、このレンズを含むレンズ支持構造を光学機器に搭載する場合に、レンズにおいて光学機器の光学性能に影響を及ぼす部分を意味している。
【０００８】
第１０の発明に係るレンズは、第９の発明に係るレンズにおいて、固定部が内周側に形成された固定面を含み光軸方向に延びる複数の側壁部を有している。
これにより、側壁部が硬化した接着剤の内部で引っ掛かり、接着剤の剥離をより効果的に抑制することができるとともに、レンズの脱落を防止することができる。
第１１の発明に係るレンズは、第１０の発明に係るレンズにおいて、固定部が側壁部の内周側に固定面を含むように形成され、光軸方向に窪んだ複数の溝部を有している。
第１２の発明に係るレンズは、第１１の発明に係るレンズにおいて、側壁部の先端部が光学有効部の外周部よりも光軸方向内側に配置されている。
第１３の発明に係るレンズは、第１０の発明に係るレンズにおいて、側壁部が光学有効部の外周部よりも光軸方向外側に延びている。
第１４の発明に係るレンズは、第９の発明のレンズにおいて、固定部が光軸方向内側に延びる側壁部の内周側に形成される固定面を含み、半径方向に窪んだ溝部を有している。
第１５の発明に係るレンズは、第１４の発明のレンズにおいて、溝部が半径方向外側部分よりも半径方向内側部分の方が光軸方向の寸法が大きくなっている。
第１６の発明に係るレンズは、第９の発明のレンズにおいて、固定部が固定面を含み、光軸に直交する方向に切り込まれた複数の切欠部を有している。
【０００９】
第１７の発明に係る光ピックアップ装置は、光ディスクに記録された信号を読み取るための装置であって、光源と、光源からの光束を光ディスクに導く光ピックアップ光学系と、光ディスクからの反射光束を受光する受光素子とを備えている。光ピックアップ光学系は、第１から８のいずれかに記載のレンズ支持構造または第９から１６のいずれかに記載のレンズを有している。
この装置では、光ピックアップ光学系が上記のレンズ支持構造またはレンズを有しているため、レンズ支持構造において熱衝撃に強いレンズ接着が可能となり、光ピックアップ装置の耐久性が向上する。
【発明の効果】
【００１０】
本発明に係るレンズおよびレンズ支持構造では、レンズを固定する接着剤が収縮する際に発生する引っ張り力を固定面により受けることができるため、熱衝撃による接着剤の剥離を抑制することができ、熱衝撃に強いレンズ接着が可能となる。
また、本発明に係る光ピックアップ装置では、このようなレンズおよびレンズ支持構造を有しているため、熱衝撃に強いレンズ接着が可能となり、装置の耐久性が向上する。
【発明を実施するための最良の形態】
【００１１】
以下、図面を参照しながら本発明の実施形態について説明する。
（第１実施形態）
（１）光ピックアップ装置の構成
図１に、本発明の第１実施形態に係るレンズ支持構造を採用した光学機器の一例としての光ピックアップ装置の概略構成図を示す。図１に示すように、光ピックアップ装置５０は、光ディスク５１に記録された信号を読み取るための装置であって、主に、信号を読み取るための光束を射出するとともに光ディスク５１からの反射光束を受光する半導体レーザユニット５８と、半導体レーザユニット５８からの光束を光ディスク５１に導くとともに光ディスク５１からの反射光束を半導体レーザユニット５８に導く光ピックアップ光学系５３とから構成されている。
半導体レーザユニット５８は、例えば光源としての半導体レーザ５２と、光ディスク５１からの反射光を回折するホログラム５９と、ホログラム５９で回折された光を検出する受光素子５４とから構成されている。
光ピックアップ光学系５３は、例えば半導体レーザ５２からの光束を略平行光に変換するコリメート光学系５５と、略平行光を折り曲げるプリズムなどの反射光学系５７と、反射光学系５７により折り曲げられた略平行光を光ディスクの記録面上に集光させる対物光学系５６とから構成されており、この光ピックアップ光学系５３の少なくとも一部にレンズ支持構造４０が採用されている。レンズ支持構造４０以外の構成については、従来の構成と何ら変わるところがないため、詳細な説明は省略する。
【００１２】
（２）レンズ支持構造について
図２に本発明の第１実施形態に係るレンズ支持構造の外観図、図３に図２のＡ−Ａ断面図における縦断面概略図を示す。図２および図３に示すように、レンズ支持構造４０は、主に、光ピックアップ光学系５３の一部に含まれる円形状のレンズ１と、光ピックアップ装置５０のハウジング（図示せず）などに支持されレンズ１を支持するための支持部材３と、レンズ１を支持部材３に接着固定するための接着剤２とから構成されている。支持部材３は、レンズ１の外形に沿った円弧状の曲面を有しレンズ１を半径方向に支持する第１支持部３ａと、第１支持部３ａから光軸に直交する方向（図２では上側）へ延びる１対の第２支持部３ｂとから構成されている。レンズ１は第２支持部３ｂ同士の間に配置されており、レンズ１と各第２支持部３ｂとの間にはそれぞれ接着剤２が充填されている。接着剤２としては、例えば紫外線硬化型の接着剤が挙げられ、紫外線照射により硬化されている。このように、接着剤２によりレンズ１は支持部材３に固定されている。
このレンズ支持構造４０は、レンズ１の接着部分の形状に特徴を有している。具体的には、レンズ１は、例えば樹脂製の凸レンズであり、主に、光学的に有効な円板状の光学有効部５と、光学有効部５の外周側に一体に形成された環状の固定部４とから構成されている。なお、レンズ１は、凸レンズに限られず、他の形状のレンズであってもよい。
【００１３】
固定部４は光ピックアップ装置５０の光学性能に影響を及ぼさない部分であり、このため固定部４にのみ接着剤２が塗布されている。熱衝撃による接着剤２の剥離を抑制するために、固定部４の光軸方向の両側には、光軸方向に窪んだ環状の溝部１１が形成されている。溝部１１が形成された結果、溝部１１の外周側であって光軸方向両側の外周縁に光軸方向に延びる環状の側壁部１４が形成されている。図３に示すように、溝部１１の断面は例えばＶ字形状を有しており、溝部１１は内周側を向くように光軸に対して傾斜する固定面１３を有している。固定面１３は、溝部１１の一部であるとともに、側壁部１４の一部を構成している。
側壁部１４の先端部は、光学有効部５の外周部よりも光軸方向内側に配置されており、接着剤２により覆われている。また、溝部１１には接着剤２が充填されており、この結果、固定面１３も接着剤２により覆われている。
（３）作用効果
以下、上記の構成を有するレンズ支持構造４０における作用効果について説明する。
図２に示すように、低温状態においては、レンズ１および接着剤２はそれぞれ収縮しようとするため、レンズ１の固定部４と接着剤２との接着界面では外周側（図３の右側）に接着剤２が変位しようとし、外周側へ引っ張り力９が働く。このとき、溝部１１および側壁部１４に含まれる固定面１３が内周側を向いているため、固定面１３周辺（側壁部１４の内周側）の接着剤２が引っ張り力９により外周側へ移動しようとすると、接着剤２により固定面１３が外周側へ押圧される。この結果、固定面１３周辺において引っ張り力９とは逆方向の抑制力１０が発生する。すなわち、内周側を向く固定面１３により収縮時に発生する接着剤２の引っ張り力９を受けることができる。これにより、接着界面において作用する引っ張り応力や剪断応力などの引き剥がし応力を低減することができ、熱衝撃による接着剤２の剥離を防止することができる。
【００１４】
また本構成では、溝部１１に接着剤２が充填されており、側壁部１４の先端部が固定面１３とともに接着剤２により覆われているため、溝部１１に充填された接着剤２がフックのように側壁部１４と半径方向に引っ掛かりやすくなっている。これにより、熱衝撃による接着剤２の剥離を確実に抑制することができるとともに、レンズ１の脱落を防止することができる。
以上より、このレンズ支持構造４０およびそれを備えた光ピックアップ装置５０では、レンズ１から接着剤２が剥離するのを抑制することができ、レンズ１の脱落を防止することができる。すなわち、装置の耐久性の向上を図ることができる。また、レンズ１から接着剤２が剥離するのを抑制できるため、レンズ１のズレによる光学特性の低下を防止することができる。
なお、本実施形態では溝部１１の断面形状はＶ字形状であるが、これに限定されず、例えば固定面１３が光軸に対して傾斜しておらず半径方向に垂直な面であってもよい。この場合、溝部１１に充填された接着剤２が側壁部１４とさらに引っ掛かりやすくなり、熱衝撃による接着剤２の剥離をより確実に抑制することができる。
また、本実施形態では溝部１１は環状に形成されているが、これに限定されず、接着剤２により接着される部分にのみ形成されていてもよい。この場合、例えば溝部１１が円弧状であってもよいし、直線状であってもよい。
（第２実施形態）
また、以下のような実施形態も考えられる。図４に本発明の第２実施形態に係るレンズ支持構造の縦断面概略図を示す。なお、第１実施形態と同じ構成については同じ符号を使用するとともに、詳細な説明は省略する。
【００１５】
本実施形態のレンズ支持構造１４０では、第１実施形態のように固定部１０４が溝部１１を有しておらず、光軸方向に延びる環状の側壁部１１４のみを有している。具体的には、側壁部１１４は、光学有効部５の外周部よりも光軸方向外側に延びており、光軸に対して傾斜し内周側を向く固定面１１３を有している。側壁部１１４の先端部は固定面１１３とともに接着剤１０２により覆われている。
この場合も第１実施形態と同様に、引っ張り力１０９により固定面１１３周辺の接着剤１０２が外周側へ移動しようとし、この結果として固定面１１３において引っ張り力１０９に対抗する抑制力１１０が作用する。このため、このレンズ支持構造１４０では接着界面における引き剥がし応力を低減することができ、熱衝撃による接着剤１０２の剥離を抑制することができる。
以上より、このレンズ支持構造１４０およびそれを備えた光ピックアップ装置５０では、レンズ１０１から接着剤１０２が剥離するのを抑制することができ、レンズ１０１の脱落を防止することができる。すなわち、装置の耐久性の向上を図ることができる。また、レンズ１０１から接着剤１０２が剥離するのを抑制できるため、レンズ１０１のズレによる光学特性の低下を防止することができる。
【００１６】
なお、側壁部１１４は図４のようなテーパ形状に限定されず、例えば固定面１１３が半径方向に垂直な面であってもよい。この場合、固定面１１３周辺の接着剤２が側壁部１１４とさらに引っ掛かりやすくなり、熱衝撃による接着剤１０２の剥離をより確実に抑制することができる。
また、本実施形態では側壁部１１４は環状に形成されているが、これに限定されず、接着剤１０２により接着される部分にのみ形成されていてもよい。この場合、側壁部１１４は円弧状であってもよいし、直線状であってもよい。
（第３実施形態）
また、前述の実施形態に加えて以下のような実施形態も考えられる。図５に本発明の第３実施形態に係るレンズ支持構造の縦断面概略図を示す。なお、第１および第２実施形態と同じ構成については同じ符号を使用するとともに、詳細な説明は省略する。
図５に示すように、本実施形態のレンズ支持構造２４０では、固定部２０４の外周部に半径方向に窪んだ溝部２１１が形成されている。具体的には、固定部２０４は光軸方向内側に延びる１対の環状の側壁部２１４を有しており、１対の側壁部２１４同士の光軸方向間に溝部２１１が形成されている。側壁部２１４の内周側には光軸に対して傾斜し内周側を向くテーパ形状の固定面２１３が形成されている。これにより、溝部２１１は、半径方向外側部分（図５の右側部分）よりも半径方向内側部分（図５の左側部分）の方が光軸方向寸法が大きくなっている。
【００１７】
この場合も第１および第２実施形態と同様に、引っ張り力２０９に対抗する抑制力２１０が固定面２１３周辺で発生するため、接着界面における引き剥がし応力を低減することができ、熱衝撃による接着剤２０２の剥離を抑制することができる。また、溝部２１１に充填された接着剤２０２が側壁部２１４同士の間で半径方向に引っ掛かるため、熱衝撃による接着剤２０２の剥離を抑制することができる。
以上より、このレンズ支持構造２４０およびそれを備えた光ピックアップ装置５０では、レンズ２０１から接着剤２０２が剥離するのを抑制することができ、レンズ２０１の脱落を防止することができる。すなわち、装置の耐久性の向上を図ることができる。また、レンズ２０１から接着剤２０２が剥離するのを抑制できるため、レンズ２０１のズレによる光学特性の低下を防止することができる。
なお、本実施形態では固定面２１３が光軸に対して傾斜しているが、これに限定されず、例えば半径方向に垂直な面であってもよい。
また、本実施形態では溝部２１１は環状に形成されているが、これに限定されず、接着剤２０２により接着される部分にのみ形成されていてもよい。この場合、溝部２１１は円弧状であってもよいし、直線状であってもよい。
（第４実施形態）
さらに、以下のような実施形態も考えられる。図６に本発明の第４実施形態に係るレンズ支持構造の平面概略図、図７に図６のＢ部周辺の部分拡大図を示す。なお、前述の実施形態と同じ構成については同じ符号を使用するとともに、詳細な説明は省略する。
【００１８】
図５および図６に示すように、本実施形態のレンズ支持構造３４０は、固定部３０４が光軸に直交する方向に切り込まれた複数（本実施形態では２つ）の切欠部３１６を有している。切欠部３１６は、接着剤３０２により接着される部分に形成されており、内周側を向くように形成された固定面３１３を含んでいる。支持部材３０３は、レンズ３０１を半径方向に支持する円弧状の曲面を有する第１支持部３０３ａと、第１支持部３０３ａから光軸に直交する方向に延びる１対の第１支持部３０３ａとから構成されており、レンズ３０１は第２支持部３０３ｂの間に配置された状態で、第１支持部３０３ａにより半径方向に支持されている。２つの切欠部３１６は、光軸を挟んで第１支持部３０３ａと概ね反対側であって各第２支持部３０３ｂ寄りに配置されている。切欠部３１６が形成された結果、固定部３０４には光軸方向に直交する方向に延びる突出部３１７が形成されている。切欠部３１６には接着剤３０２が充填されており、突出部３１７は接着剤３０２により覆われている。
この場合も前述の実施形態と同様に、引っ張り力３０９に対抗する抑制力３１０が固定面３１３周辺で発生するため、接着界面における引き剥がし応力を低減することができ、熱衝撃による接着剤３０２の剥離を抑制することができる。また、切欠部３１６に充填された接着剤３０２が突出部３１７に半径方向に引っ掛かるため、熱衝撃による接着剤３０２の剥離を確実に抑制することができとともに、剥離による発生するレンズ３０１の脱落を防止することができる。
【００１９】
なお、切欠部３１６の形状などは図６および図７の実施形態に限られず、固定面３１３および突出部３１７が形成されていれば、他の形状であってもよい。
（その他の実施形態）
本発明の具体的な構成は、前述の実施形態に限られるものではなく、発明の要旨を逸脱しない範囲で種々の変更および修正が可能である。
例えば、前述の実施形態では本発明のレンズ支持構造を光ピックアップ装置に適用した場合について記載しているが、光ピックアップ装置に限られず、レンズを接着剤により固定する全ての光学機器において適用可能である。光ピックアップ装置の構成も前述のものに限られない。
なお、前述の実施形態ではレンズの接着箇所が光軸を挟んで２カ所設けられているが、接着箇所はこれに限られない。例えば、接着箇所がさらに多い場合や、あるいは全周を接着する場合であっても同様の効果を得ることができる。
【産業上の利用可能性】
【００２０】
本発明に係るレンズ支持構造では、温度変化によりレンズや接着剤の膨張・収縮が繰り返されても、接着剤の引っ張り力に対抗する抑制力が作用し、溝部や側壁部などで硬化した接着剤が引っ掛かるため、接着剤の剥離を抑制することができるとともに、レンズの脱落を防止することができる。このため、本発明は光ディスクドライブ装置に用いられる光ピックアップ装置などの温度変化が繰り返される光学機器の分野において有用である。
【図面の簡単な説明】
【００２１】
【図１】本発明の第１実施形態に係るレンズ支持構造を採用した光学機器の一例としての光ピックアップ装置の概略構成図。
【図２】本発明の第１実施形態に係るレンズ支持構造の外観図。
【図３】図２のＡ−Ａ断面における縦断面概略図。
【図４】本発明の第２実施形態のレンズ支持構造の縦断面概略図。
【図５】本発明の第３実施形態のレンズ支持構造の縦断面概略図。
【図６】本発明の第４実施形態のレンズ支持構造の縦断面概略図。
【図７】図６のＢ部周辺の部分拡大図。
【図８】従来のレンズ支持構造の外観図。
【図９】従来のレンズ支持構造の接着部分の縦断面概略図。
【図１０】従来のレンズ支持構造の接着部分の平面概略図。
【符号の説明】
【００２２】
１  レンズ
２  接着剤
３  支持部材
４  固定部
５  光学有効部
９  引っ張り力
１０  抑制力
１１  溝部
１３  固定面
１４  側壁部
４０  レンズ支持構造
５０  光ピックアップ装置
５１  光ディスク
５２  半導体レーザ（光源）
５３  光ピックアップ光学系
５４  受光素子
５５  コリメート光学系
５６  対物光学系
５７  反射光学系
５８  半導体レーザユニット
５９  ホログラム
３１６  切欠部
３１７  突出部
【図１】
2007298700.tif 000003
【図２】
2007298700.tif 000004
【図３】
2007298700.tif 000005
【図４】
2007298700.tif 000006
【図５】
2007298700.tif 000007
【図６】
2007298700.tif 000008
【図７】
2007298700.tif 000009
【図８】
2007298700.tif 000010
【図９】
2007298700.tif 000011
【図１０】
2007298700.tif 000012